(57)【特許請求の範囲】
【請求項１】
インクフイルムが巻かれた供給用シャフト及び巻取り用シャフトを有するインクフイルム装置と、
カット紙タイプの記録紙を搬送する搬送手段と、
前記搬送手段により搬送される記録紙にファクシミリ受信イメージデータを記録する記録手段と、
前記供給用シャフトに巻かれたインクフイルムを、前記巻取り用シャフトに巻き取るように移送する移送手段と、
前記インクフイルム装置、前記搬送手段、前記記録手段、前記移送手段を収容する本体と、
を備えたファクシミリ装置であって、
前記本体は、
前記インクフイルム装置が装着される本体下部と、前記本体下部に対して開閉可能な本体上部と、を有し、
前記本体下部には、前記インクフイルムの、前記供給用シャフトに巻かれるインクフイルム巻取り部分及び前記巻取り用シャフトに巻かれるインクフイルム巻取り部分が挿入される２つのインクフイルム巻取り部分装着用凹部と、前記供給用シャフト及び前記巻取り用シャフトが挿入されるシャフト装着用凹部と、が形成され、前記インクフイルム巻取り部分の、前記インクフイルム巻取り部分装着用凹部への挿入と、前記供給用シャフト及び前記巻取り用シャフトの、前記シャフト装着用凹部への挿入とをもって、前記インクフイルム装置の、本体への装着位置決めを可能とし、
前記記録手段は、
前記インクフイルム装置が前記本体下部に装着された場合に前記供給用シャフトと前記巻取り用シャフトとの間に位置する、前記インクフイルムのインクを前記記録紙に転写するための記録ヘッド部材と、
前記インクフイルムを前記記録ヘッド部材に押し付けるように、前記記録ヘッド部材との間に前記インクフイルムを挟み込むためのヘッドローラー部材と、
を有し、
前記搬送手段は、
前記記録紙を、前記インクフイルムの移送と同方向に搬送し、前記記録手段の前記記録ヘッド部材と前記ヘッドローラー部材との間に通過させる搬送部材を有し、
前記移送手段は、
前記インクフイルム装置のインクフイルムを前記供給用シャフト側から前記巻取り用シャフト側に移送する駆動手段と、
前記インクフイルム装置を前記本体下部の凹部に装着したとき、前記記録ヘッド部材と前記供給用シャフトとの間の第１の位置及び前記記録ヘッド部材と前記巻取り用シャフトとの間の第２の位置において、前記インクフイルムに接触する第１及び第２のインクフイルム支持部を有するインクフイルムガイド手段と、
を有し、
前記インクフイルム装置は、
前記本体の本体上部が開いた状態で前記供給用シャフト及び前記巻取り用シャフトに巻かれたインクフイルム巻取り部分が、前記本体下部の前記インクフイルム巻取り部分装着用凹部に挿入され、前記供給用シャフト及び前記巻取り用シャフトが前記シャフト装着用凹部に挿入されることをもって装着され、
該装着をもって、前記インクフイルムが、前記第１及び第２の支持部によって前記供給用シャフト及び前記巻取り用シャフトの位置よりも前記本体上部側に持ち上げられるように支持され、前記本体上部が閉じられたとき、前記記録ヘッド部材と前記ヘッドローラー部材とが接触し、該接触をもって、前記インクフイルムが、前記第１及び第２の支持部との接触位置よりも下側の位置で、前記記録ヘッド部材と前記ヘッドローラー部材との間に挟み込まれる、
ことを特徴とするファクシミリ装置。
【請求項２】
請求項１記載のファクシミリ装置であって、
前記インクフイルム装置がインクフイルムカートリッジ構成であることを特徴とするファクシミリ装置。
【発明の詳細な説明】
【０００１】
【産業上の利用分野】
本発明は、１回の回線接続で、ブック型原稿の複数ページを、続けて送信することができるファクシミリ装置に関する。
【０００２】
【従来の技術】
公衆回線等を介して、文書・図画をイメージデータとして伝送することができるファクシミリ装置は、現在、業務用に広く普及しているが、近年、各家庭内でも個人的に利用されるようになってきている。
【０００３】
ファクシミリ装置の標準的な構成は、機能的には、原稿送信のための原稿イメージ読取り部(スキャナー)と、受信したイメージ情報を記録するイメージ記録部と、受信イメージ情報の復号および送信イメージ情報の符号化を行う符号／復号送部と、ファックス送受信部と、ファクシミリ送信または通話に際して必要となるダイヤル機能を有する電話器部と、から成る。
【０００４】
図１１に、従来の典型的なファクシミリ装置の外観を示す。
【０００５】
同図のファクシミリ装置において、シート原稿送信時には、シート原稿の送信面を裏向きにして原稿給紙トレイ２上に載置し、操作部６の電話器で相手先ファクシミリ番号を入力し、送信指示を行う。そこで、シート原稿が１枚だけ取り込まれて読取り用ラインセンサの上を通過し、原稿排紙トレイ４(図では内側に折りたたんであるが、使用時は措置側に開ける)の上に排出される。このように、従来のファクシミリ装置は、原稿給紙トレイのシート原稿を順次１枚ずつ取り込み、原稿内容をセンサで読み取って、そのイメージ情報を送信するように構成されている。
【０００６】
一方、受信時には、通常、自動的に動作して受信イメージ情報を、内蔵の感熱ロール紙に感熱記録し、記録済用紙をカットして記録紙排紙トレイ８上に排出する。
【００１２】
【発明が解決しようとする課題】
本発明の目的は、インクフィルムの取付けが容易なファクシミリ装置を提供することにある。
【００１６】
【課題を解決するための手段】
本発明は、
インクフイルムが巻かれた供給用シャフト及び巻取り用シャフトを有するインクフイルム装置と、
カット紙タイプの記録紙を搬送する搬送手段と、
前記搬送手段により搬送される記録紙にファクシミリ受信イメージデータを記録する記録手段と、
前記供給用シャフトに巻かれたインクフイルムを、前記巻取り用シャフトに巻き取るように移送する移送手段と、
前記インクフイルム装置、前記搬送手段、前記記録手段、前記移送手段を収容する本体と、
を備えたファクシミリ装置であって、
前記本体は、
前記インクフイルム装置が装着される本体下部と、前記本体下部に対して開閉可能な本体上部と、を有し、
前記本体下部には、前記インクフイルムの、前記供給用シャフトに巻かれるインクフイルム巻取り部分及び前記巻取り用シャフトに巻かれるインクフイルム巻取り部分が挿入される２つのインクフイルム巻取り部分装着用凹部と、前記供給用シャフト及び前記巻取り用シャフトが挿入されるシャフト装着用凹部と、が形成され、前記インクフイルム巻取り部分の、前記インクフイルム巻取り部分装着用凹部への挿入と、前記供給用シャフト及び前記巻取り用シャフトの、前記シャフト装着用凹部への挿入とをもって、前記インクフイルム装置の、本体への装着位置決めを可能とし、
前記記録手段は、
前記インクフイルム装置が前記本体下部に装着された場合に前記供給用シャフトと前記巻取り用シャフトとの間に位置する、前記インクフイルムのインクを前記記録紙に転写するための記録ヘッド部材と、
前記インクフイルムを前記記録ヘッド部材に押し付けるように、前記記録ヘッド部材との間に前記インクフイルムを挟み込むためのヘッドローラー部材と、
を有し、
前記搬送手段は、
前記記録紙を、前記インクフイルムの移送と同方向に搬送し、前記記録手段の前記記録ヘッド部材と前記ヘッドローラー部材との間に通過させる搬送部材を有し、
前記移送手段は、
前記インクフイルム装置のインクフイルムを前記供給用シャフト側から前記巻取り用シャフト側に移送する駆動手段と、
前記インクフイルム装置を前記本体下部の凹部に装着したとき、前記記録ヘッド部材と前記供給用シャフトとの間の第１の位置及び前記記録ヘッド部材と前記巻取り用シャフトとの間の第２の位置において、前記インクフイルムに接触する第１及び第２のインクフイルム支持部を有するインクフイルムガイド手段と、
を有し、
前記インクフイルム装置は、
前記本体の本体上部が開いた状態で前記供給用シャフト及び前記巻取り用シャフトに巻かれたインクフイルム巻取り部分が、前記本体下部の前記インクフイルム巻取り部分装着用凹部に挿入され、前記供給用シャフト及び前記巻取り用シャフトが前記シャフト装着用凹部に挿入されることをもって装着され、
該装着をもって、前記インクフイルムが、前記第１及び第２の支持部によって前記供給用シャフト及び前記巻取り用シャフトの位置よりも前記本体上部側に持ち上げられるように支持され、前記本体上部が閉じられたとき、前記記録ヘッド部材と前記ヘッドローラー部材とが接触し、該接触をもって、前記インクフイルムが、前記第１及び第２の支持部との接触位置よりも下側の位置で、前記記録ヘッド部材と前記ヘッドローラー部材との間に挟み込まれる、
ことを特徴とするファクシミリ装置を提供する。
【００２８】
【作用】
本発明に係るファクシミリ装置によれば、インクフイルム装置が、本体の本体上部が開いた状態で供給用シャフト及び巻取り用シャフトに巻かれたインクフイルム巻取り部分が、本体下部のインクフイルム巻取り部分装着用凹部に挿入され、供給用シャフト及び巻取り用シャフトがシャフト装着用凹部に挿入されることをもって装着され、該装着をもって、インクフイルムが、第１及び第２の支持部によって供給用シャフト及び巻取り用シャフトの位置よりも本体上部側に持ち上げられるように支持される。そして、本体上部が閉じられたとき、記録ヘッド部材とヘッドローラー部材とが接触し、該接触をもって、インクフイルムが、第１及び第２の支持部との接触位置よりも下側の位置で、記録ヘッド部材と前記ヘッドローラー部材との間に挟み込まれる。
【００３５】
【実施例】
以下、本発明のファクシミリ装置の実施例について詳細に説明する。
【００３６】
図１は、本発明の一実施例に係るファクシミリ装置の外観の斜視図であり、図４は、その要部断面図である。
【００３７】
同図に示すように、本実施例のファクシミリ装置は、送信原稿を覆う原稿カバー１１と、原稿読取り機構およびイメージ記録機構等を内蔵する本体上部１２と、記録紙カセット２０と、記録紙搬送機構、インクフィルムカートリッジ等を内蔵する本体下部１３と、を備えている。
【００３８】
原稿カバー１１は、図２に示すように、本体上部１２に対して回動自在に取り付けられている。例えば、本体上部１２の後部長辺部を回動軸として開閉可能に構成されている。原稿は、送信面を裏向きにして原稿読取り面(ガラス)１９上に載置する。また、図３に示すように、厚みのあるブック型原稿に対応できるように、回動軸近くに切目１０を設け、この切目１０で逆Ｌ字状に折れ曲がれるようになっている。原縞カバー１１の上部表面形状を湾曲させることにより、ブック型原稿に対して原稿カバー１１の上から使用者が中心部に圧力をかけたとき、原稿カバー１１が平坦な場合に比ベ、圧力が全体により均等に分散する。また、原稿カバー１１に対して上部からかかる圧力に対する構造強度も増加する。
【００３９】
なお、本実施例では本体の長辺を装置の正面としたが、短辺を正面とする構成も考えられる。また、いずれを正面とするかに関わらず、原稿カバー１１の回動軸は、その短辺側に設けることもできる。
【００４０】
原稿カバー１１に覆われない本体１２の上面端部には、本実施例では、ファクシミリ送信指示(またはコピー指示)を行なうスタートスイッチ１７、送受信枚数等の表示部１６、ストップスイッチ１８、メモリ送信スイッチ１４、および受信/登録スイッチ１５を配置している。これらのスイッチは、通常、原稿カバーを締めた状態で操作するスイッチである。すなわち、メモリ送信スイッチ１４は、送信すベきイメージデータを一旦内蔵の記憶装置(図示せず)に格納した後、その記憶装置の内容を読出して送信するためのものである。受信/登録スイッチ１５は、外部からファクシミリ送信を電話器で受けたときに、ファクシミリ受信に切り替える際、または、ＯＣＲシートで相手先電話番号を読み取り、若しくは内部状態(例えば時計)の設定を行なう際に押下するスイッチである。ストップスイッチ１８は、送信を中断または停止するために押下するスイッチである。本実施例では、原稿カバー１１を閉じた送信操作時(またはコピー時)には、これらのスイッチ１４〜１８のみが視野に入り、従来のように多数の操作スイッチに惑わされる心配がない。その他のスイッチ、例えば、読取りの解像度、濃度、コピー時の拡大縮小率の設定用スイッチ等は、原稿カバー１１の下に配置している。
【００４１】
なお、原稿カバー１１の外に配置するスイッチの種類および個数は、そのファクシミリ装置の機種、機能等によって変わりうる。例えば、イメージデータの記憶装置を有さない機種ではメモリ送信のスイッチは存在しない。
【００４２】
受信イメージを記録する記録紙は普通紙のカット紙であり、記録紙カセット２０に複数枚格納される。この記録紙カセット２０は、その短部が本体下部１３の端面のほぼ面位置に一致するように、本体下部１３の側面に設けた開口２１に収納される。なお、この開口２１は、本実施例では本体下部１３の短辺側に設けたが、長辺側に設けてもよい。
【００４３】
本ファクシミリ装置には、受話器は設けておらず、既設の電話器を接続し、相手先番号の入力等はその電話機で行なうことができる。また、従来装置のような、外部に突出した原稿給紙トレイおよび記録紙排紙卜レイは存在しない。
【００４４】
図４に、本ファクシミリ装置の正面から見た内部構成を示す。
【００４５】
読取りヘッド２５としての読取り光学系は、本体上部１２の中で、通常、原稿読取り面１９の一端の下部に位置し、原稿をスキャンする際には読取りヘッド駆動手段２９の働きにより一定速度で原稿読取り面１９の下部に沿って他端ヘ向かって移動する。読取りヘッド２５を構成する読取り光学系は、発光素子としてのＬＥＤアレイ２７と、これにより照らされた原稿像を透過および反射するミラーおよびレンズと、これを経由して線状の像を結像するＣＣＤアレイ２８とからなる。読取りヘッド駆動手段２９は、読取りヘッド２５に結合された駆動ベルト３０、および、この駆動ベルト３０を回転駆動する駆動モータ(図示せず)からなる。読取りヘッド２５は、図示の光学系に限るものではなく、公知の密着型のイメージセンサであってもよい。
【００４６】
原稿を送信する際には、まず、送信面を裏向きにして原稿載置面１９上に載置しておき、電話器で相手先番号を入力し相手側ファクシミリ装置との間で通信回線の接続を碓立する。そこで、スタートボタン１７(図１参照)を押すと、読取りヘッド２５がスキャンを開始し、読み取ったイメージ信号を順次通信回線ヘ送信する。その後、一定時間(例えば１２秒間)内に、次の原稿を載置してスタートボタン１７を再度押せば、回線が切れることなく続けて原稿の電送が行なえる。この時間内に読取りヘッド２５を初期位置に戻す作業が自動的に行なわれる。したがって、ブック型原稿の場合もその頁めくりはこの時間内に行なうことができる。原稿が１枚送信されるごとに表示部１６に表示される送信枚数がインクリメントされる。一定時間内に次のスター卜ボタンが押されなければ、あるいはその時間内であってもストップスイッチ１８が押されなければ、回線接続が切れる。
【００４７】
なお、前記一定時間内に、継続送信が可能であることを示す例えば「ピッピッ…」という催促音を鳴らして使用者に知らせるようにしてもよい。また、予め送信枚数を設定しておき、表示部１６ではその設定枚数から、順次、デクリメントしていき、''０''に達したとき回線接続を切断することも可能である。
【００４８】
その他、本体上部１２には、本体下部１３に向かって露出した記録ヘッド３２も内蔵する。本実施例では、熱転写型記録を採用しているので、この記録ヘッド３２サーマルヘッドである。
【００４９】
本体下部１３内には、交換のために着脱可能なインクフィルムカートリッジ３１を内包する（図１２参照）。また、記録紙カセット２０から記録ヘッド３２へカット紙を供給し、記録紙カセッ卜２０の上部の空間３５に記録済用紙を排出する搬送手段を有する。この搬送手段は、各極ローラー、ギヤおよび駆動モータ(図示せず)からなる。
【００５０】
本体上部１２は、支点３４において、本体下部１３に対して回動可能に支持されており、カートリッジ３１の交換時およびその他の保守時に本体上部１２を上方ヘ開くことができる。
【００５１】
イメージ記録機構は、本実施例では熱転写式を採用したが、普通紙に記録できる記録方式であれば、例えばインクジェット式、ドットインパクト式等の他の方式のものであってもよい。
【００５２】
図５に、記録紙カセット２０の外観を示す。
【００５３】
記録紙カセット２０は、大別して、カット紙を収納するカセット本体６４とカセットカバー５２とからなる。カセットカバー５２は記録紙が記録後にその上に排出される排紙卜レイをも兼ねる。カセットカバー５２は記録紙取りだし方向に上向きに傾斜した傾斜部５１を有する。更に、カセッ卜カバー５２の表面には排紙方向に沿って伸びる幾本かの細い突条６１を有する。カセット２０の一端にはカセット本体６４の下部に凹部を形成した取手部６３を設け、この取手部６３と反対側には記録紙の前端を持ち上げるリフト用板状部材５６を設けている。カセット２０の前端には後述する突出材５８が突出している。さらに、カセット２０の前端の両側には２組の磁石５９を配設している。一方、ファクシミリ装置の本体下部１３には、記録紙カセット２０が完全に装着されたとき当接する位置に、この磁石５９と磁力で結合する磁性体(図示せず)を有する。なお、本体下部１３の方に磁石を設けてもよく、また、双方とも磁石であってもよい。
【００５４】
記録紙カセッ卜２０は、複数のサイズの記録紙に合わせて保持部等を変更し、あるいはサイズ毎に別個のカセットを用意することができる。
【００５５】
図６に記録紙カセット２０の要部の側面断面図を示す。
【００５６】
リフト用板状部材５６は、その後端が支点５３により回動可能に支持されており、下部に配設されたバネ５４により、常時、上方向ヘ付勢される力を受ける。リフト用板状部材５６はその下部にＬ字状の係合片５５を一体に有する。一方、前述した突出部材５８は、係合片５５の下方の位置に、係合片５５と係合する係合穴５７を有し、バネ６２により前方(カセットの挿入方向)へ付勢されている。係合穴５７のバネ６２側の壁面は、前方ヘ進むほど深くなるよう傾斜している。カセット２０内に記録紙が収納されて、リフト用板状部材５６が下方ヘ押し下げられると、係合片５５の先端が係合穴５７の斜面をスライドしながら、バネ６２の反発力に抗して突出部材６０を内側ヘ移動させていく。最終的に、係合片５５の先端部が係合穴５７を通過した時点で、突出部材６０が若干前進し、係合片５５の先端が突出片６０と係合する。これにより、リフト用板状部材５６が下側ヘ口ックされた状態となる。このようにして、記録紙が収納された記録紙カセット２０をファクシミリ本体開口に挿入し、完全に格納されると、突出部材５８の先端６０がファクシミリ本体に当接して押し戻される。これによって、係合片５５の係合状態が解除され、リフト用板状部材５６はバネ５４の力により上方ヘ持ち上げられる。この時点で、前述のように両者は磁力で吸引し合い、この状態は外力が働くまで保持される。このようにして、記録紙の枚数の多少に関わらず、最上部に位置する記録紙を記録紙搬送部ヘ供給することができる。
【００５７】
従来、プリンタ・複写機等においては、記録紙カセットが本体から外部ヘ突出した状態で装着され、てこの原理で記録紙先端部を持ち上げるものが知られているが、図１のファクシミリ装置のようにカセッ卜の挿入口が狭く、かつカセット全体が完全に収納される本発明の場合には適用できない。また、装置内に板バネを設けておき、記録紙カセットを強く挿入して、カセット下部に設けた開口から前記板バネで押し上げるという構造のものも知られているが、カセット全体を装置内に収納する本発明の場合には強く挿入するのに支障がある。一方、本発明の構造では、カセッ卜挿入に強い力は要さず、かつ、確実に記録紙先端を持ち上げることが可能である。すなわち、本発明による記録紙カセットは図１のようなファクシミリ装置に最適である。
【００５８】
次に、図７を参照して、記録紙がカセット２０から取り出されて記録ヘッド３２で記録され、カセッ卜カバー５２上に排出されるまでの過程を説明する。
【００５９】
記録紙カセット２０に記録紙４８が収納されているか否かは記録紙有無センサ４９で検知される。記録紙が収納されていなければ、適当な方法で使用者に報知される。また、本体上部１２が上方ヘ開かれているときに動作しないように、本体上部１２を検知するセンサ３７を設けている。受信イメージの記録時あるいは原稿のコピー時に、記録紙はカセット２０から１枚の記録紙を、送りローラー６６でピックアップする。二重送りを避けるためにリフト用板状部材５６の先端にはゴム４７が付設されている。ピックアップされた記録紙は、先端にスポンジ４５を付設した記録紙押え４４で送りローラー６６に密着させられ、ガイド４１、４２により記録ヘッド３２の方向ヘ移送されていく。記録ヘッド３２の手前に設けた記録紙センサ４０により記録紙が記録ヘッド３２の直前に到着したことを検知し、記録のためのタイミングを取る。続いて、符号５０に示すように、記録紙は記録ヘッド３２とヘッドローラー６８との間を通過し、その間、イメージ信号に応じてインクフィルム３３のインクが記録紙表面に転写される。記録済用紙は、ガイド３９およびローラーの働きにより、排紙卜レイを兼ねたカセットカバー５２の上に排出される。この排出された用紙は図示のように、その先端がカセット２０端部から（すなわち開口から）若干飛び出すように、記録紙カセット２０に対する記録紙の排出位置が予め設定されている。
【００６０】
記録済用紙の先端が飛び出す構成により、排紙卜レイが装置内に完全に内包されている本実施例の場合であってもファクシミリ受信があったことが、容易に認知できる。また、用紙の取り出しも容易となる。本実施例では記録ヘッド３２が下向きに設置されているので、記録済用紙の記録面は表向きに排出される。ファクシミリ受信した記録済用紙の先端には、通信日時・宛名等の情報が記録されるものもあり、記録紙先端が飛び出していれば、取り出さなくてもその部分が認知できるという利点もある。
【００６１】
図８は、記録紙搬送手段の駆動機構およびインクフィルムカートリッジ３１の駆動機構を示す。
【００６２】
駆動モータ７０の回転は、ギヤ７１〜７４を介してインクカー卜リッジ３１の駆動ギヤ７５に伝達される。他方、ギヤ７３はギヤ７６および７７を介してへッドローラー６８を回転させる。また、モータ７０の回転は図示しないギヤ群を介して図８の送りローラー６６ヘも伝えられる。
【００６３】
図１２および図１３に、インクフィルムカートリッジ３１の外観を示す。図１２は表側の外観図であり、図１３は裏側の外観図である。
【００６４】
インクフィルムカー卜リッジ３１は、中央に記録ヘッド進入用の開口８３を有するハウジング８０と、このハウジング８０によって互いに平行保持されたシャフト８１，８２と、両シャフトの間で一方から他方ヘ巻き取られるインクフィルム３３と、シャフト８１，８２の対角側の端部に設けた同一構成のギヤ７９，７５とからなる。インクフィルム３３は、最大サイズの記録紙の幅に対応した幅を有する。通常、熱転写記録用のインクフィルムは単一回の記録でインクがフィルムから抜けてしまい複数回の使用はできないが、インクフィルムおよびサーマルへッドの加熱制御の改良により複数回の使用が可能である。本インクフィルムカートリッジ３１は、このような複数回の使用を前提としている。すなわち、本カートリッジ３１では、一度、一方のシャフトから他方へ巻き取ったフィルムを、次回には逆向きに巻き取る。そこで、本実施例のカートリッジ３１は後述する駆動機構との関係もあり、図示のように軸８４を中心に回転対称の構造をしている。また、インクフィルム３３には終端の識別子としての白帯を対角の位置に２箇所設けている。なお、白帯の検知手段は公知であり、図示省略してある。
【００６８】
図９は、本発明の他の実施例に係るファクシミリ装置の外観図であり、図１０は、その原稿自動給紙機構の要部断面図である。本実施例において、図１の実施例と同一の要素には同一の参照番号を付し、その詳細な説明は省略する。
【００６９】
本実施例は、図１の実施例に、更に原稿の自動給紙機能を付加したものである。自動給紙のための機構は、主として、原稿カバー９０に設ける。すなわち、図示のとおり、原稿カバー本体１０２の表面に原稿載置面９１および１対の原稿ガイド９２を設け、原稿カバー９０の一端に原稿給紙部９４を設けている。１対のガイド９２は周知の機構により原縞サイズに合わせて幅を変更可能に連動するようになっている。本実施例では、原稿載置面９１は平坦であるが、残りの表面部分は図１の実施例と同様に湾曲している。また、原稿カバー９０を開けば、第１の実施例と同様の原稿載置面１９を有し、ブック型原稿の読取りも行なえる。
【００７０】
本実施例で追加した原稿自動給紙機能について、図１０によりさらに詳しく説明する。
【００７１】
原稿給紙部９４は、原稿カバー９０の原稿載置面９１側のカバー本体１０２との間に原稿が通過する間隙１０３を形成し、この間隙１０３は原稿読取面１９の一端ヘ導通している。原稿給紙部９４は、互いに独立した２つの前段および後段部分９４ａ,９４ｂからなる。前段部分９４ａは間隙１０３に面するローラー９７を有し、保守のために支点１００を中心として矢印１０４の方向に開くようになっている。後段部分９４ｂは本体上部１２に面するローラー９８を有する。カバー本体１０２には間隙１０３に面する口ーラー９５および９６を有する。ローラー９５は原稿押え１０１に当接し、開口９３内に挿入された原稿の引き込みを行なう。ローラー９５はローラー９７に当接し原稿を搬送する。搬送された原稿は、初期位置に停止中の読取りヘッド２５の上部位置において、そのイメージが原稿読取り面１９を介して読み取られる。この自動給紙機能を用いて読取りを行なうときには、読取りヘッド２５は初期位置に静止したままであり、移動はしない。本体上部１２の端部にはローラー９９を有し、後段部分９４ｂ内のローラー９８に当接し、読み取られた原稿を装置外部ヘ排出する働きをする。
【００７２】
本実施例では省スペース化のため原稿排紙トレイはあえて設けていないが、設けることも可能である。
【００７３】
本発明に係るファクシミリ装置によれば、インクフイルムを簡単に取付けることができる。
【図面の簡単な説明】
【図１】本発明の一実施例に係るファクシミリ装置の外観斜視図
【図２】原稿カバーを開いた状態の、図１の装置の外観斜視図
【図３】ブック原稿を載置した、図１の装置の外観斜視図
【図４】図１の装置の内部構成を示す正面図
【図５】図１の装置内の記録紙カセットの外観斜視図
【図６】図５の記録紙カセッ卜の要部の側面断面図
【図７】図１の装置の記録紙の給紙から排紙までの経過の説明図
【図８】図１の装置の記録紙搬送手段等の駆動機構の説明図
【図９】本発明の他の実施例に係るファクシミリ装置の外観斜視図
【図１０】図９の装置の要部の断面図
【図１１】従来のファクシミリ装置の外観斜視図
【図１２】インクフィルムカートリッジの駆動機構の説明図
【符号の説明】
１１,９０…原稿カバー、１２…本体上部、１３…本体下部、１６…表示部、１７…スター卜スイッチ、１８…ストップスイッチ、１９…原稿読取面、２０…記録紙カセット、２１…開口、２５…読取りヘッド、３１…インクフィルムカートリッジ、３２…記録ヘッド、９１…原稿載置面、９４…原縞給紙部。
【図１】
0003792573.tif 000002
【図２】
0003792573.tif 000003
【図３】
0003792573.tif 000004
【図４】
0003792573.tif 000005
【図５】
0003792573.tif 000006
【図６】
0003792573.tif 000007
【図７】
0003792573.tif 000008
【図８】
0003792573.tif 000009
【図９】
0003792573.tif 000010
【図１０】
0003792573.tif 000011
【図１１】
0003792573.tif 000012
【図１２】
0003792573.tif 000013
【図１３】
0003792573.tif 000014